(57)【要約】      （修正有）【課題】高齢者等がゲームを楽しみながら体の柔軟性やバランスを改善する訓練を行うことができ、しかも屋外でも支障なく設置できるスライドパネルを提供する。【解決手段】訓練をする人Ｍが所定位置に立った状態で腕を伸ばして、腕を伸ばせば反対側に届く程の大きなパネル１上で複数の矩形のスライド板２を順次に一箇所の空いている位置にスライドさせるストレッチ訓練用スライドパネルにおいて、前記パネル１が、そのパネルに沿ってそれぞれ延在して互いに直交する複数の案内路からなる碁盤の目状の案内部を具え、前記矩形のスライド板２が、前記碁盤の目状の案内部の互いに直交する案内路の全ての交点の数より一個少ない複数個だけその案内部上に配置されて、それぞれ前記複数の案内路に沿って移動可能に前記パネル１に支持されていることを特徴とするストレッチ訓練用スライドパネル。【選択図】図５
0003127369.tif 000002
【実用新案登録請求の範囲】
【請求項１】
訓練をする人が所定位置に立った状態で腕を伸ばして、腕を伸ばせば反対側に届く程の大きなパネル上で複数の矩形のスライド板を順次に一箇所の空いている位置にスライドさせるストレッチ訓練用スライドパネルにおいて、
前記パネルが、そのパネルに沿ってそれぞれ延在して互いに直交する複数の案内路からなる碁盤の目状の案内部を具え、
前記矩形のスライド板が、前記碁盤の目状の案内部の互いに直交する案内路の全ての交点の数より一個少ない複数個だけその案内部上に配置されて、それぞれ前記複数の案内路に沿って移動可能に前記パネルに支持されていることを特徴とするストレッチ訓練用スライドパネル。
【請求項２】
前記碁盤の目状の案内部は、矩形の枠部材と、その枠部材の内側にその枠部材の辺に沿って縦横に複数ずつ配置され、前記枠部材との間および互いの間に前記案内路を画成する所定の隙間を開けて、前記枠部材に設けられた梁部材を介しその枠部材に固定された複数の矩形の案内部材と、を有し、
前記矩形のスライド板は、前記案内路に沿って摺動可能にその案内路に嵌着されていることを特徴とする、請求項１記載のストレッチ訓練用スライドパネル。
【請求項３】
前記矩形のスライド板は、中央部に手掛かり用の突部を有することを特徴とする、請求項１または２記載のストレッチ訓練用スライドパネル。
【考案の詳細な説明】
【技術分野】
【０００１】
本考案は、訓練をする人が所定位置に立った状態で腕を伸ばして、腕を伸ばせば反対側に届く程の大きなパネル上で複数の矩形のスライド板を順次に一箇所の空いている位置にスライドさせるストレッチ訓練用スライドパネルに関するものである。
【背景技術】
【０００２】
近年では高齢化が進み、高齢者の体の柔軟性やバランスを改善する訓練が必要とされている。そしてこのような訓練を行うための器具としては従来、例えば人が乗ってバランス運動する円盤と、その円盤を外周の縁枠内に内装される円形基台と、その円盤が体重の移動によって傾斜回動するように円盤の下面中央のカップリングと円形基台の中央のカップリングとの間に挟装されて円盤を支持する転動自在の球体とからなる円盤型傾斜運動具が知られている（特許文献１参照）。
【特許文献１】特開２００１−３２７６２６
【考案の開示】
【考案が解決しようとする課題】
【０００３】
しかしながら上記従来の装置では、円盤が傾斜回動する以外の遊戯性を有していないため、継続して訓練を行い得ないという問題点があった。一方、遊戯性を有するゲームとしては手の平に乗る小さな矩形のボード上で１５個の矩形のコマを順次に一箇所の空いている位置にスライドさせ、それらのコマの配置で絵柄を完成させる１５ゲームが知られていたが、この１５ゲームそのものでは小さすぎて柔軟性やバランスを改善する訓練には用いることができず、しかも１５ゲームはボードの上に全てのコマを乗せてそのボード上で摺動させる構造のものゆえ、それと同様に構成すると屋外の公園等に設置した場合に雨水や砂等が板とコマとの間に溜まって使用できなくなる可能性があるという問題があった。
【０００４】
それゆえ本考案は、高齢者等が１５ゲームと同様のゲームを楽しみながら体の柔軟性やバランスを改善する訓練を行うことができ、しかも屋外でも支障なく設置できるスライドパネルを提供することを目的としている。
【課題を解決するための手段】
【０００５】
本考案は上記課題を有利に解決するためになされたもので、本考案のストレッチ訓練用スライドパネルは、訓練をする人が所定位置に立った状態で腕を伸ばして、腕を伸ばせば反対側に届く程の大きなパネル上で複数の矩形のスライド板を順次に一箇所の空いている位置にスライドさせるストレッチ訓練用スライドパネルにおいて、前記パネルが、そのパネルに沿ってそれぞれ延在して互いに直交する複数の案内路からなる碁盤の目状の案内部を具え、前記矩形のスライド板が、前記碁盤の目状の案内部の互いに直交する案内路の全ての交点の数より一個少ない複数個だけその案内部上に配置されて、それぞれ前記複数の案内路に沿って移動可能に前記パネルに支持されていることを特徴とするものである。
【考案の効果】
【０００６】
かかる本考案のストレッチ訓練用スライドパネルにあっては、訓練をする人が所定位置に立った状態で腕を伸ばして、腕を伸ばせば反対側に届く程の大きなパネル上で複数の矩形のスライド板を順次に一箇所の空いている位置にスライドさせて、それらのスライド板の配置で所定あるいは任意の絵柄を完成させる。そしてその際、ゲームを行うために足腰のバランス維持および腕を伸ばした状態でのスライド板の移動の必要に迫られる。
【０００７】
従って、本考案のストレッチ訓練用スライドパネルによれば、複数のスライド板の配置で１５ゲームと同様に所定あるいは任意の絵柄を完成させるゲームを楽しみながら、体の柔軟性およびバランス能力を高めることができ、しかも矩形のスライド板が、碁盤の目状の案内部の互いに直交する案内路の全ての交点の数より一個少ない複数個だけその案内部上に配置されて、それぞれ上記複数の案内路に沿って移動可能にパネルに支持されていることから、屋外に設置しても、雨水や砂等はその碁盤の目状の案内部の互いに直交する案内路から下方に落下して排除されるので、パネルとスライド板との隙間に雨水や砂等が溜まって使用できなくなることがない。
【０００８】
なお、本考案のストレッチ訓練用スライドパネルにおいては、前記碁盤の目状の案内部は、矩形の枠部材と、その枠部材の内側にその枠部材の辺に沿って縦横に複数ずつ配置され、前記枠部材との間および互いの間に前記案内路を画成する所定の隙間を開けて、前記枠部材に設けられた梁部材を介しその枠部材に固定された複数の矩形の案内部材と、を有し、前記矩形のスライド板は、前記案内路に沿って摺動可能にその案内路に嵌着されていても良く、このようにすれば、簡易な構成で雨水や砂等を排除できる案内路を画成しつつ各スライド板をパネルに移動可能に支持することができる。
【０００９】
また、本考案のストレッチ訓練用スライドパネルにおいては、前記矩形のスライド板は、中央部に手掛かり用の突部を有していても良く、このようにすれば、力の弱い高齢者等でもスライド板を容易に移動させることができる。
【考案を実施するための最良の形態】
【００１０】
以下、本考案の実施の形態を実施例によって、図面に基づき詳細に説明する。ここに、図１は、本考案のストレッチ訓練用スライドパネルの一実施例を示す平面図、図２は、その実施例のストレッチ訓練用スライドパネルを図１中矢印Ａ方向から見て示す正面図、図３は、上記実施例のストレッチ訓練用スライドパネルを図１中矢印Ｂ方向から見て示す側面図、図４（ａ）および（ｂ）は、上記実施例のストレッチ訓練用スライドパネルのスライド板を拡大して示す平面図および正面方向から見た断面図、そして図５は、上記実施例のストレッチ訓練用スライドパネルの使用方法を示す斜視図である。
【００１１】
この実施例のストレッチ訓練用スライドパネルは、図５に示す如く訓練をする人Ｍが所定位置に立った状態で腕を伸ばして、大人が腕を伸ばせば反対側に届く程の大きな概略正方形のパネル（例えば縦横１６００ｍｍ×１６００ｍｍのパネル）１上で２４枚の正方形のスライド板（例えば縦横１９５ｍｍ×１９５ｍｍの板）２を順次に一箇所の空いている位置Ｓにスライドさせるものであり、ここにおけるパネル１は公園等の屋外に水平に設置されるもので、例えば地中に埋設されたコンクリート製基礎３を介して地面Ｇに固定されて立設される四本の支柱４の上端部に固定された正方形断面の筒状の支持枠１ａと、その支持枠１ａの上端面に固定された正方形の板状の、枠部材としての外周案内枠１ｂと、その外周案内枠１ｂ上に固定された四分割型で概略正方形の枠状をなすとともに外周の各辺に訓練をする人が少し入り込める凹部を有するトッププレート１ｃと、支持枠１ａの内側に図１では上下方向に延在するように互いに等間隔に配置されて両端部を支持枠１ａに固定された四本のアングル状の梁部材１ｄと、外周案内枠１ｂと同一高さにてその外周案内枠１ｂの内側にその外周案内枠１ｂの辺に沿って縦横に四枚ずつ配置され、外周案内枠１ｂとの間および互いの間に、パネル１に沿ってそれぞれ延在して互いに直交する五本ずつの案内路５ａを画成する所定の隙間を開けて梁部材１ｄを介して支持枠１ａに外周案内枠１ｂとともに固定された、案内部材としての１６枚の内側案内板１ｅとを具えており、それらの案内路５ａは全体で、碁盤の目状の案内部５を形成している。
【００１２】
またここにおける各スライド板２は、パネル１の互いに直交する五本ずつの案内路５ａに沿ってトッププレート１ｃの内側で摺動可能にそれらの案内路５ａに嵌合する円柱状の嵌合部２ａを後部に持ち、その嵌合部２ａには、外周案内枠１ｂおよび内側案内板１ｅの裏側から留め板２ｂがネジ２ｃで固定され、これにより各スライド板２は、パネル１に対して外れ止めされている。また各スライド板２は、中央部に手掛かり用のボタン状の突部２ｄを有している。
【００１３】
かかる実施例のストレッチ訓練用スライドパネルにあっては、図５（ａ）に示すように訓練をする人Ｍが所定位置に立った状態で腕を伸ばして、腕を伸ばせば反対側に届く程の大きなパネル１上で２４枚の正方形のスライド板２を順次に一箇所の空いている位置Ｓ（スライド板２の移動に伴って移動する）にスライドさせて、それらのスライド板２の配置で所定あるいは任意の絵柄を完成させる。そしてその際、ゲームを行うために足腰のバランス維持および腕を伸ばした状態でのスライド板２の移動の必要に迫られる。
【００１４】
なお、図５（ａ）に示す使用方法では、訓練をする人Ｍが所定位置に立った状態で、先ず左手を腰に当てて、図５（ｂ）に示す如きパターンを、右手だけでバランスを取りながらスライド板２を動かして完成させ、次いで同様にして左手だけでバランスを取りながらスライド板２を動かして完成させ、二人以上の場合は例えば交代でスライド板２を動かして、早くパターンを完成した方が勝ちとする。図５（ｂ）に示すパターン例では、２４枚のスライド板２のうち１３枚が着色、１１枚が白色とされており、それら着色のスライド板２と白色のスライド板２で６種類のパターン（絵柄）を構成している。
【００１５】
従って、この実施例のストレッチ訓練用スライドパネルによれば、２４枚のスライド板２の配置で１５ゲームと同様に所定あるいは任意の絵柄を完成させるゲームを楽しみながら、体の柔軟性およびバランス能力を高めることができ、しかも矩形のスライド板２が、碁盤の目状の案内部５の互いに直交する案内路５ａの全ての交点の数より一個少ない枚数だけその案内部５上に配置されて、それぞれ案内路５ａに沿って移動可能にパネル１に支持されていることから、屋外に設置しても、雨水や砂等はその碁盤の目状の案内部５の互いに直交する案内路５ａから下方に落下して排除されるので、パネル１とスライド板２との隙間に雨水や砂等が溜まって使用できなくなることがない。
【００１６】
また、この実施例のストレッチ訓練用スライドパネルによれば、碁盤の目状の案内部５は、正方形の外周案内枠１ｂと、その外周案内枠１ｂの内側にその外周案内枠１ｂの辺に沿って縦横に四枚ずつ配置され、外周案内枠１ｂとの間および互いの間に案内路５ａを画成する所定の隙間を開けて、外周案内枠１ｂを固定した支持枠１ａに設けられた梁部材１ｄを介しその外周案内枠１ｂに対して固定された１６枚の内側案内板１ｅとを有し、スライド板２は、それらの案内路５ａに沿って摺動可能にそれらの案内路５ａに嵌着されているので、簡易な構成で雨水や砂等を排除できる案内路５ａを画成しつつ各スライド板２をパネル１に移動可能に支持することができる。
【００１７】
さらに、この実施例のストレッチ訓練用スライドパネルによれば、各スライド板２は、中央部に手掛かり用のボタン状の突部２ｄを有しているので、力の弱い高齢者等でも手が滑らずにスライド板２に容易に力を加え得て、スライド板２に容易に移動させることができる。
【００１８】
以上、図示例に基づき説明したが、本考案は上述の例に限定されるものでなく、実用新案登録請求の範囲の記載範囲内で適宜変更することができるものであり、例えば、パネル１は傾斜させて設置したり垂直に設置したりしても良い。またスライド板２の枚数は、縦横で同数でなく数を異ならせても良い。さらにスライド板２は、正方形でなく長方形でも良い。
【産業上の利用可能性】
【００１９】
かくして本考案のストレッチ訓練用スライドパネルによれば、複数のスライド板の配置で１５ゲームと同様に所定あるいは任意の絵柄を完成させるゲームを楽しみながら、体の柔軟性およびバランス能力を高めることができ、しかも矩形のスライド板が、碁盤の目状の案内部の互いに直交する案内路の全ての交点の数より一個少ない複数個だけその案内部上に配置されて、それぞれ上記複数の案内路に沿って移動可能にパネルに支持されていることから、屋外に設置しても、雨水や砂等はその碁盤の目状の案内部の互いに直交する案内路から下方に落下して排除されるので、パネルとスライド板との隙間に雨水や砂等が溜まって使用できなくなることがない。
【図面の簡単な説明】
【００２０】
【図１】本考案のストレッチ訓練用スライドパネルの一実施例を示す平面図である。
【図２】上記実施例のストレッチ訓練用スライドパネルを図１中矢印Ａ方向から見て示す正面図である。
【図３】上記実施例のストレッチ訓練用スライドパネルを図１中矢印Ｂ方向から見て示す側面図である。
【図４】（ａ）および（ｂ）は、上記実施例のストレッチ訓練用スライドパネルのスライド板を拡大して示す平面図および正面方向から見た断面図である。
【図５】上記実施例のストレッチ訓練用スライドパネルの使用方法を示す斜視図である。
【符号の説明】
【００２１】
１  パネル
１ａ  支持枠
１ｂ  外周案内枠
１ｃ  トッププレート
１ｄ  梁部材
１ｅ  内側案内板
２  スライド板
２ａ  嵌合部
２ｂ  留め板
２ｃ  ネジ
２ｄ  突部
３  基礎
４  支柱
５  案内部
５ａ  案内路
Ｇ  地面
Ｍ  訓練をする人
【図１】
0003127369.tif 000003
【図２】
0003127369.tif 000004
【図３】
0003127369.tif 000005
【図４】
0003127369.tif 000006
【図５】
0003127369.tif 000007